(57)【要約】【課題】包括的かつ漏れのない形での施設利用料の精算を可能とする精算管理システムを提供する。【解決手段】精算管理システムは、使用受付装置１と、精算装置２と、利用施設装置３と、管理装置４とを備える。使用受付装置１は、使用内容決定部１１と、使用キー発行部１２と、入場ゲート開閉部１３とを備える。精算装置２は、使用キー回収部２１と、使用料算出部２２と、使用料精算部２３と、退場ゲート開閉部２４とを備える。利用施設装置３は、使用キー受付部３１と、施設使用制御部３２と、使用状況認識部３３とを備える。管理装置４は、使用受付装置１と精算装置２と利用施設装置３とを管理および制御するコントローラとしての機能を有する。【選択図】図１
2019219779.tif 000002
【特許請求の範囲】
【請求項１】
利用施設の建物外において該利用施設の使用料を精算する精算管理システムであって、
前記利用施設の使用を受け付ける使用受付装置と、該利用施設の建物外に設置された精算装置とを備え、
前記使用受付装置は、
前記利用施設の使用内容を利用者に選択させて決定させる使用内容決定工程と、
該使用内容決定工程により決定された使用内容に対応した使用キーを発行する使用キー発行工程とを実行し、
前記利用施設は、
前記使用キー発行工程により発行された使用キーを受け付け、該使用キーにより当該利用施設の使用状況を認識する使用状況認識工程を実行し、
前記精算装置は、
前記使用キー発行工程により発行され、前記利用施設の使用に供された使用キーを受け付ける使用キー回収工程と、
前記使用キー回収工程により回収された使用キーを特定し、前記使用状況認識工程により認識された使用状況から前記利用施設の使用料を算出する使用料算出工程と、
前記使用料算出工程により算出された使用料の精算を受け付ける精算処理工程とを実行することを特徴とする精算管理システム。
【請求項２】
請求項１記載の精算管理システムにおいて、
前記精算装置が、前記利用者の車両の駐車区画に設置され、前記精算処理工程による精算を以って該車両の出庫を可能とすることを特徴とする精算管理システム。
【請求項３】
請求項２記載の精算管理システムにおいて、
前記使用受付装置が、前記利用者の車両の駐車区画に設置され、前記使用キー発行工程により使用キーが発行されたことを以って該車両の入庫を可能とすることを特徴とする精算管理システム。
【請求項４】
請求項１乃至３のうちいずれか１項記載の精算管理システムにおいて、
前記利用施設が宿泊施設であって、
前記使用キー発行工程により発行された使用キーが前記宿泊施設の客室の入退出キーであって、
前記使用状況認識工程により認識される前記使用料が該宿泊施設の客室の使用料であることを特徴とする精算管理システム。
【発明の詳細な説明】
【技術分野】
【０００１】
本発明は利用施設の建物外において該利用施設の使用料を精算する精算管理システムに関する。
【背景技術】
【０００２】
従来、この種の精算管理システムとしては、有効期限等を記憶する記憶手段を備えたカードキーを発行し、チェックアウト時にカードキーの残金を返却する自動フロント手段と、挿入されたカードキーを保持してドアを解鍵し、施設利用の禁止又は有効期限内に限る許可を行い、施設利用料をカードキーの残金から清算するゲート手段とを備えるホテルシステムが知られている。
【先行技術文献】
【特許文献】
【０００３】
【特許文献１】特開平８−２０２７７６公報
【発明の概要】
【発明が解決しようとする課題】
【０００４】
かかる従来の精算管理システムでは、鍵の管理、料金精算業務を自動化無人化することが可能であるが、ホテル館内での料金の精算に限られ、包括的かつ漏れのない形での施設利用料の精算が困難であった。
【０００５】
以上の事情に鑑みて、本発明は、包括的かつ漏れのない形での施設利用料の精算を可能とする精算管理システムを提供することを目的とする。
【課題を解決するための手段】
【０００６】
第１発明の精算管理システムは、利用施設の建物外において該利用施設の使用料を精算する精算管理システムであって、
前記利用施設の使用を受け付ける使用受付装置と、該利用施設の建物外に設置された精算装置とを備え、
前記使用受付装置は、
前記利用施設の使用内容を利用者に選択させて決定させる使用内容決定工程と、
該使用内容決定工程により決定された使用内容に対応した使用キーを発行する使用キー発行工程とを実行し、
前記利用施設は、
前記使用キー発行工程により発行された使用キーを受け付け、該使用キーにより当該利用施設の使用状況を認識する使用状況認識工程を実行し、
前記精算装置は、
前記使用キー発行工程により発行され、前記利用施設の使用に供された使用キーを受け付ける使用キー回収工程と、
前記使用キー回収工程により回収された使用キーを特定し、前記使用状況認識工程により認識された使用状況から前記利用施設の使用料を算出する使用料算出工程と、
前記使用料算出工程により算出された使用料の精算を受け付ける精算処理工程とを実行することを特徴とする。
【０００７】
第１発明の精算管理システムによれば、利用施設の使用を受け付ける使用受付装置により使用キーが発行され、使用キーにより当該利用施設の使用状況を把握することができる。
【０００８】
さらに、利用施設の建物外に設置された精算装置により、当該使用キーの回収に伴って当該利用施設の使用料を算出して精算することができる。
【０００９】
このように、第１発明の精算管理システムによれば、包括的かつ漏れのない形での施設利用料の精算を可能とすることができる。
【００１０】
第２発明の精算管理システムは、第１発明において、
前記精算装置が、前記利用者の車両の駐車区画に設置され、前記精算処理工程による精算を以って該車両の出庫を可能とすることを特徴とする。
【００１１】
第２発明の精算管理システムによれば、精算装置を利用者の車両の駐車区画に設置することで、利用者が当該利用施設を離れる最終段階までの使用料を確実に算出することできる。
【００１２】
さらに、精算処理工程による精算を以って該車両の出庫を可能とすることで、使用料の徴収をより確実なものとすることできる。
【００１３】
このように、第２発明の精算管理システムによれば、包括的かつ漏れのない形での施設利用料の精算を確実に実行することができる。
【００１４】
第３発明の精算管理システムは、第２発明において、
前記使用受付装置が、前記利用者の車両の駐車区画に設置され、前記使用キー発行工程により使用キーが発行されたことを以って該車両の入庫を可能とすることを特徴とする。
【００１５】
第３発明の精算管理システムによれば、精算装置に加えて、使用受付装置を車両の駐車区画に設置することで、車両の入庫と使用キーの発行とを同時に行うことができる。
【００１６】
このように、第３発明の精算管理システムによれば、簡易な構成で利便性を向上させながら、包括的かつ漏れのない形での施設利用料の精算を確実に実行することができる。
【００１７】
第４発明の精算管理システムは、第１〜第３発明のいずれかにおいて、
前記利用施設が宿泊施設であって、
前記使用キー発行工程により発行された使用キーが前記宿泊施設の客室の入退出キーであって、
前記使用状況認識工程により認識される前記使用料が該宿泊施設の客室の使用料であることを特徴とする。
【００１８】
第４発明の精算管理システムによれば、本発明の精算管理システムは汎用性が高く包括的かつ漏れのない形での施設利用料の精算が可能であるが、使用キーを宿泊施設の入退出キーとして、客室の使用料を精算可能に構成してもよい。
【００１９】
このように、第４発明の精算管理システムによれば、高い汎用性を活かして、宿泊施設の客室の使用料の精算にも転用するこができ、この場合にも包括的かつ漏れのない形での宿泊施設の精算を可能とすることができる。
【図面の簡単な説明】
【００２０】
【図１】本実施形態の精算管理システムのシステム構成を示すシステム構成図。
【図２】図１の精算管理システムにおける処理内容を示すフローチャート。
【図３】図１の精算管理システムにおける処理内容の例を示す説明図。
【図４】図３の精算管理システムにおける処理内容の他の例を示す説明図。
【発明を実施するための形態】
【００２１】
図１に示すように、本実施形態の精算管理システムは、例えば、
利用施設の建物外において該利用施設の使用料を精算するシステムであって、使用受付装置１と、精算装置２と、利用施設装置３と、管理装置４とを備える。
【００２２】
ここで、利用施設としては、例えば、ホテル、飲食店、興行におけるスタジアムや映画館のほか、アトラクション施設、美容院や英会話教室などが含まれる。
【００２３】
使用受付装置１は、当該利用施設の使用を受け付ける装置であって、使用内容決定部１１と、使用キー発行部１２と、入場ゲート開閉部１３とを備える。
【００２４】
使用内容決定部１１は、例えば、タッチパネル等により構成され、利用施設の使用内容を利用者に選択させて決定させる。
【００２５】
使用キー発行部１２は、使用内容決定部により決定された使用内容に対応した使用キー（例えばカードキー）を発行する。
【００２６】
入場ゲート開閉部１３は、当該利用施設の入場ゲートの開閉を制御する。
【００２７】
精算装置２は、使用キー回収部２１と、使用料算出部２２と、使用料精算部２３と、退場ゲート開閉部２４とを備える。
【００２８】
使用キー回収部２１は、使用キー発行部１２により発行され、当該利用施設の使用に供された使用キーを回収のために受け付ける。
【００２９】
使用料算出部２２は、使用キー回収部２１により回収された使用キーを特定し、当該利用設備の使用状況からその使用料を算出する。
【００３０】
使用料精算部２３は、使用料算出部２２により算出された使用料の精算を受け付ける精算処理を実行する。
【００３１】
退場ゲート開閉部２４は、当該利用施設の退場ゲートの開閉を制御する。
【００３２】
利用施設装置３は、使用キー受付部３１と、施設使用制御部３２と、使用状況認識部３３とを備える。
【００３３】
使用キー受付部３１は、使用キー発行部１２により発行された使用キーを受け付ける。
【００３４】
施設使用制御部３２は、使用キー受付部３１により受け付けた使用キーに基づく、当該利用施設の使用のための制御処理を実行する。
【００３５】
使用状況認識部３３は、施設使用制御部３２による制御処理の内容から、当該使用キーによる当該利用施設の使用状況を認識する。
【００３６】
管理装置４は、使用受付装置１と精算装置２と利用施設装置３とを管理および制御するコントローラとしての機能を有する。なお、使用受付装置１と精算装置２と利用施設装置３との各処理部の一部または全部を管理装置４に構成してもよい。
【００３７】
以上が本実施形態の精算管理システムである。なお、以上の構成において、使用受付装置１と精算装置２と利用施設装置３と管理装置４とは、それぞれ例えば、ＣＰＵ（Central Processing Unit）、ＲＯＭ（Read Only memory）、ＲＡＭ（Random Access Memory）等のハードウェアにより構成され、後述する各種処理を実行するプログラムをメモリ（不図示）に記憶保持し、そのプログラムを実行することにより、各種処理を実行するための演算装置（シーケンサ）として機能する。
【００３８】
次に、図２および図３を参照して、以上のように構成された精算管理システムの処理内容について、ドライブスルー型ホテルの例を用いて説明する。
【００３９】
まず、利用者が当該利用施設であるコテージタイプのホテルの場内に入場する際に、その入場ゲートに設置された使用受付装置（客室選択装置）１の操作を開始すると、使用受付装置１が利用開始処理を実行する（ＳＴＥＰ１０／図２）。かかる利用開始処理工程では、利用者ＩＤや予約がある場合には、これらの特定を行う。
【００４０】
次に、利用者が使用受付装置１を操作して客室の選択を行うと、使用内容決定部１１が使用内容決定工程を実行し（ＳＴＥＰ１１／図２）、かかる使用内容に応じて、管理装置４が使用キー（使用ＩＤ）決定工程を実行する（ＳＴＥＰ４１／図２）。
【００４１】
次に、管理装置４の使用キー（使用ＩＤ）決定工程を受けて、使用キー発行部１２が当該使用キー（使用ＩＤ）に対応付けた使用キーの発行を行う使用キー発行工程を実行する（ＳＴＥＰ１２／図２）。
【００４２】
ここで、ＳＴＥＰ１２の使用キー発行工程では、例えば、カードキーの磁気部分に、使用キー（使用ＩＤ）を書き込んだカードキーの吐き出しのほか、使用キーに対応したアナログキーの吐き出しであってもよい。
【００４３】
次に、入場ゲート開閉部１３が、入場ゲートを操作して入場ゲートを開放させる入場ゲート開放処理工程を実行する（ＳＴＥＰ１３／図２）。
【００４４】
これにより、利用者は当該ホテルの場内に入場することができ、当該ホテルの各種誘導に従って、自己が選択した客室に隣接する駐車場への駐車を行う。
【００４５】
次に、利用施設である当該ホテルの利用について説明する。
【００４６】
自己が選択した客室に隣接する駐車場への駐車を行った利用者は、駐車場に設けられた使用キー受付部３１であるカードキー投入装置にカードキーを投入する。これにより、利用施設装置３の使用キー受付部３１が、使用キーの受付を行う使用キー受付処理工程を実行する（ＳＴＥＰ３１／図２）。
【００４７】
ＳＴＥＰ３１の使用キー受付処理工程で受け付けられた使用キーは、管理装置４により使用キー（使用ＩＤ）が認証され（ＳＴＥＰ４２／図２）、施設使用制御部３２により施設使用の制御を行う施設使用制御処理が実行される（ＳＴＥＰ３２／図２）。かかる施設使用制御処理では、例えば、客室の玄関の電気錠の解錠処理を行う。
【００４８】
そして、以後、当該客室の使用が終了するまで、使用状況認識部３３が、使用状況の監視（認識）を行う使用状況認識処理を管理装置４と連動して行う（ＳＴＥＰ３３・ＳＴＥＰ４３／図２）。
【００４９】
次に、利用施設である当該ホテルの精算について説明する。
【００５０】
利用者が、客室の使用を終了して、当該ホテルから退場する場合には、退場ゲートに設けられた精算装置（自動精算機）２に、使用キーを投入すると、使用キー回収部２１が使用キーの回収を行う使用キー回収処理を実行する（ＳＴＥＰ２１／図２）。
【００５１】
精算装置２は、回収された使用キー（使用ＩＤ）を管理装置４により認証し（ＳＴＥＰ４４／図２）、使用料算出部２２が、ＳＴＥＰ３３・ＳＴＥＰ４３の当該使用キーの使用状況から、使用料金を算出する使用料算出処理を実行する（ＳＴＥＰ２２／図２）。
【００５２】
ＳＴＥＰ２２の使用料算出処理により使用料が算出されると、使用料精算部２３が、精算装置２にその金額を表示し、利用者からの料金の精算を行う精算処理工程を実行する（ＳＴＥＰ２３／図２）。
【００５３】
そして、精算処理が完了すると、退場ゲート開閉部２４が、退場ゲートを操作して退場ゲートを開放させる退場ゲート開放処理工程を実行する（ＳＴＥＰ２４／図２）。
【００５４】
以上が本実施形態の精算管理システムによる処理内容であり、かかる精算管理システムによれば、利用施設の建物外に設置された精算装置２により、当該使用キーの回収に伴って当該利用施設の使用料を算出して精算することができる。
【００５５】
より具体的には、使用受付装置１を車両の駐車区画への入場ゲートに設置することで、車両の入庫と使用キーの発行とを同時に行うことができると共に、精算装置２を利用者の車両の駐車区画の退場ゲートに設置することで、利用者が当該利用施設を離れる最終段階までの使用料を確実に算出することできる。
【００５６】
このように、本実施形態の精算管理システムによれば、簡易な構成で利便性を向上させながら、包括的かつ漏れのない形での施設利用料の精算を確実に実行することができる。
【００５７】
なお、本実施形態では、（駐車区画を当該利用施設の駐車場全体として）使用受付装置１を車両の駐車区画への入場ゲートに設けると共に、精算装置２を駐車区画からの退場ゲートに設ける場合について説明したが、これに限定されるものではない。
【００５８】
例えば、図４に示すように、駐車区画を利用する客室に隣接する駐車スペースとして、当該駐車スペースに使用受付装置（客室選択装置）と精算装置（自動精算機）との機能を併せ持つ兼用機を設置し、入場ゲートおよび退場ゲートを設ける代わりに、車両停止フラップの制御により入退場を可能にしてもよい。
【００５９】
また、本実施形態の精算管理システムでは、使用受付装置１と精算装置２と利用施設装置３と管理装置４とによる一連の処理により、入退場および精算を行う場合について説明したが、必要に応じて、入退場ゲート等に設けられたカメラの撮像画像に基づいて、管理者が入退出の可否を補完的に行うようにしてもよい。
【００６０】
さらに、本実施形態では、利用施設としてドライブスルー型ホテルを例に説明したが、これに限定されるものではなく、利用施設は、ホテル以外の飲食店、興行におけるスタジアムや映画館のほか、アトラクション施設、美容院や英会話教室などであってよい。この場合、使用受付装置１は、利用施設の建物外でも建物内に設置されてもよく、精算装置２も駐車区画からの退場ゲート以外に設置されてもよい。また、この場合には、施設使用制御部は、使用キーの認証に応じて、当該使用施設の各種サービスの提供を実行可能に制御する。さらに、この場合に精算される使用料は、当該使用キーの使用状況として認識されるもののすべて（当該利用施設で受けた各種サービスのすべて）が含まれる。
【符号の説明】
【００６１】
１…使用受付装置、２…精算装置、３…利用施設装置、４…管理装置、１１…使用内容決定部、１２…使用キー発行部、１３…入場ゲート開閉部、２１…使用キー回収部、２２…使用料算出部、２３…使用精算部、２４…退場ゲート開閉部、３１…使用キー受付部、３２…施設使用制御部、３３…使用状況認識部。
【図１】
2019219779.tif 000003
【図２】
2019219779.tif 000004
【図３】
2019219779.tif 000005
【図４】
2019219779.tif 000006